(57)【要約】【課題】少量の排水で効率よく夾雑物を排出できるようにする。【解決手段】ホース２の先端に取り付けた弾性を有するチューブ１を下流側へ延びるように本管２１に挿入し、ホース２から流体を送り込んでチューブ１を膨らませ、管内流路の断面積を減少させて流速を増大させることにより、夾雑物Ｓを下流側へ移送して、夾雑物Ｓを排出する。夾雑物Ｓを効率よく移送することができ、夾雑物Ｓの排出時にのみ排水することにより、洗管に伴う排水量を大幅に削減することができる。【選択図】  図２
2004283741.tif 000002
【特許請求の範囲】
【請求項１】
管内に混入した夾雑物を流れる流体と共に排出する管内夾雑物の除去方法において、ホースの先端に取り付けた弾性を有するチューブを洗管区間のほぼ全長に亘って下流側へ延びるように管内に挿入し、ホースから流体を送り込んでチューブを膨らませ、チューブが静止した状態で、管内流路の断面積を減少させて流速を増大させることにより、夾雑物を下流側へ移送して、夾雑物を排出することを特徴とする管内夾雑物の除去方法。
【請求項２】
前記チューブを枝管から本管に挿入し、前記ホースと枝管の間をシールすることを特徴とする請求項１に記載の管内夾雑物の除去方法。
【請求項３】
前記チューブを、可撓性を有し座屈しにくい棒状の治具で管内に挿入することを特徴とする請求項１又は２に記載の管内夾雑物の除去方法。
【請求項４】
洗管区間に対応する長さを備え、先端部が閉止された弾性を有するチューブをホースの先端に取り付け、このホースを枝管との間をシールして枝管の外部に延長し、ホースの末端側に、前記チューブに流体を送り込むポンプを接続した管内夾雑物の除去装置。
【請求項５】
前記チューブの先端部に、可撓性を有し座屈しにくい棒状の治具の先端部を係止し、この治具の繰り出しに伴い、前記チューブが管内に挿入されるようにした請求項４に記載の管内夾雑物の除去装置。
【発明の詳細な説明】
【０００１】
【発明の属する技術分野】
この発明は、水道管等の管路に混入した土砂などの夾雑物を除去する方法及び装置に関するものである。
【０００２】
【従来の技術】
例えば、地中に埋設された水道管には、補修工事等に伴って土砂などの夾雑物が混入することがある。この夾雑物は、水道管の本管から立ち上がる枝管に接続した消火栓を開いて、水道水と共に押し出したり、本管の管底付近から水路等まで敷設した排泥管を介して水道水と共に流したりして除去している。
【０００３】
【発明が解決しようとする課題】
しかしながら、上記方法では、夾雑物の移送に多量の排水を必要とし、また、その移送に必要な流速が確保できない場合もある。
【０００４】
そこで、この発明は、少量の排水で効率よく夾雑物を排出できる方法及び装置を提供しようとするものである。
【０００５】
【課題を解決するための手段】
上記課題を解決するため、この発明は、ホースの先端に取り付けた弾性を有するチューブを下流側へ延びるように管内に挿入し、ホースから流体を送り込んでチューブを膨らませ、管内流路の断面積を減少させて流速を増大させることにより、夾雑物を下流側へ移送して、夾雑物を排出することとしたのである。
【０００６】
このようにすると、流量を増加させなくても、夾雑物を効率よく移送することができ、排出位置で夾雑物を排出するときにのみ挿入式排泥管や予め敷設した排泥管、又はバルブ付きＴ字管に設置した消火栓等から排水すればよいので、洗管に伴う排水量を大幅に削減することができる。
【０００７】
【発明の実施の形態】
以下、この発明の実施の形態を添付図面に基づいて説明する。
【０００８】
この実施形態では、図１に示すように、洗管区間に対応する長さを有するチューブ１がホース２の先端に取り付けられたものを使用し、ホース２の末端側にはポンプ３を接続する。
【０００９】
チューブ１は、ゴムなどの弾性を有する材料から成り、扁平な状態で折り畳んだり、リールに巻き取ったりできるものとする。
【００１０】
チューブ１の先端部は、管内へスムーズに挿入できるように、丸みを帯びた形状としておく。また、チューブ１の先端部に、このような形状のキャップを取り付けてもよい。
【００１１】
いま、この方法により、本管２１の上流側の枝管２２と下流側の枝管２３の区間を洗管する際には、この洗管区間の上流側及び下流側のバルブ２４，２５を閉じ、枝管２２からチューブ１を下流側へ延びるように本管２１に挿入する。
【００１２】
そして、図２に示すように、ポンプ３により空気を送り込んでチューブ１を膨張させ、バルブ２４，２５を開くと、洗管区間では、通水断面積が減少して、管内流速が増大する。例えば、チューブ１で管内断面積の３分の２程度を遮った場合、通水断面積は３分の１となり、流速は３倍になる。
【００１３】
このような流速の増大により、流量を増加させなくても、夾雑物Ｓが効率よく下流側へ移送される。ここで、夾雑物Ｓの移送速度は、管内流速の３０％〜５０％となることが実験により確かめられている。
【００１４】
このことから、夾雑物Ｓが下流側の枝管２３の位置まで達する時間を予測することができ、その予測した時間を目安として、枝管２３に取り付けられた消火栓４を開くと、夾雑物Ｓは、水流と共に排出される。
【００１５】
このように、上記方法では、排出位置で夾雑物Ｓを排出するときにのみ排水すればよいので、洗管に伴う排水量を大幅に削減することができる。
【００１６】
なお、上記実施形態では、夾雑物Ｓを枝管２３に設けた消火栓４を開いて排出するようにしているが、挿入式排泥管や予め敷設した排泥管、又はバルブ付きＴ字管に設置した消火栓等から夾雑物Ｓを水流と共に排出するようにしてもよい。
【００１７】
ここで、バルブ付きＴ字管以外から排水する場合には、排水位置の下流側に設けたバルブを閉じておくと、それより下流側へ水を逃がさず効率的である。
【００１８】
ところで、上記洗管作業に際しては、枝管２２からの漏水を防止するため、図３に示すように、枝管２２のフランジに、ホース２の挿通口にパッキンを嵌めた蓋５を取り付けたり、図４に示すように、アタッチメントを有する蓋６を介して管内外のホース２ａ，２ｂを接続するとよい。
【００１９】
また、チューブ１を本管２１に挿入するため、図５に示すように、可撓性を有し座屈しにくい棒状の治具７を用い、リール等に巻いた治具７の先端部をチューブ１の先端部に係止して、治具７を繰り出すことにより、チューブ１を本管２１に送り込むようにしてもよい。
【００２０】
この場合、枝管２２からの漏水を防止するため、図６に示すように、ホース２と治具７の挿通口それぞれにパッキンを嵌めた蓋５を枝管２２のフランジに取り付けたり、図７に示すように、チューブ１の末端部に治具７を係止して、アタッチメントを有する蓋６を介して管内外のホース２ａ，２ｂを接続するとよい。
【００２１】
【発明の効果】
以上のように、この発明によると、弾性を有するチューブを下流側へ延びるように管内に挿入して膨らませ、管内流速を増大させて、夾雑物を移送するので、夾雑物を効率よく移送することができ、夾雑物の排出時にのみ排水することにより、洗管に伴う排水量を大幅に削減することができる。
【図面の簡単な説明】
【図１】この発明の実施形態においてチューブを本管に挿入した状態を示す概略図
【図２】同上のチューブを膨らませた状態を示す概略図
【図３】同上の枝管開口部のシールの一例を示す図
【図４】同上の枝管開口部のシールの一例を示す図
【図５】治具を使用したチューブの挿入過程を示す概略図
【図６】同上の枝管開口部のシールの一例を示す図
【図７】同上の枝管開口部のシールの一例を示す図
【符号の説明】
１  チューブ
２  ホース
３  ポンプ
４  消火栓
５，６  蓋
７  治具
２１  本管
２２，２３  枝管
２４，２５  バルブ
Ｓ  夾雑物
【図１】
2004283741.tif 000003
【図２】
2004283741.tif 000004
【図３】
2004283741.tif 000005
【図４】
2004283741.tif 000006
【図５】
2004283741.tif 000007
【図６】
2004283741.tif 000008
【図７】
2004283741.tif 000009